(57)【特許請求の範囲】
【請求項１】
（Ａ）アニオン性界面活性剤５質量％〜３０質量％、
（Ｂ）カチオン性界面活性剤０．１質量％〜１０質量％、
（Ｃ）２５℃での動粘度が４００万ｍｍ２／ｓ以上のジメチルポリシロキサン０．０１質量％〜２質量％、及び
（Ｄ）マルトオリゴ糖、
を少なくとも含有することを特徴とする洗浄剤組成物。
【請求項２】
（Ａ）成分のアニオン性界面活性剤の含有量と、（Ｂ）成分のカチオン性界面活性剤の含有量との質量比〔（Ａ）／（Ｂ）〕が１〜１２０である請求項１に記載の洗浄剤組成物。
【請求項３】
（Ｄ）成分のマルトオリゴ糖がマルトテトラオース、マルトトリオース、及びマルトースから選択される少なくとも１種である請求項１から２のいずれかに記載の洗浄剤組成物。
【請求項４】
（Ｄ）成分のマルトオリゴ糖の含有量が、０．１質量％〜５質量％である請求項１から３のいずれかに記載の洗浄剤組成物。
【請求項５】
（Ａ）アニオン性界面活性剤がポリオキシエチレンアルキルエーテル硫酸塩、脂肪酸石鹸、アルキルエーテルカルボン酸塩、及びアシルアラニネートから選択される少なくとも１種であり、
（Ｂ）カチオン性界面活性剤がステアリン酸ジメチルアミノプロピルアミド、及び脂肪族アミンの４級アンモニウム塩から選択される少なくとも１種である請求項１から４のいずれかに記載の洗浄剤組成物。
【発明の詳細な説明】
【技術分野】
【０００１】
本発明は、シャンプー、リンスインシャンプー、トリートメントインシャンプー、ハンドソープ、ボディソープ、洗顔料等の毛髪及び皮膚の洗浄に好適に用いられる洗浄剤組成物に関する。
【背景技術】
【０００２】
現在の一般的な毛髪洗浄剤組成物としてのリンスインシャンプーは、洗浄成分としてアニオン性界面活性剤を配合しており、仕上がり成分としてカチオン性ポリマー、カチオン性界面活性剤、シリコーンエマルジョンを配合している。
例えば、特許文献１には、アニオン性界面活性剤と、カチオン性界面活性剤と、平均分子量１００万以下の反応性シリコーンを含む毛髪用組成物が提案されており、保湿剤としてマルトトリオースが開示されている。
また、特許文献２には、アニオン性界面活性剤と、カチオン性界面活性剤と、アルキル変性シリコーン又は環状シリコーンとを含む毛髪用組成物が提案されており、乳化剤としてマルトトリオースが開示されている。
また、特許文献３及び４には、アニオン性界面活性剤と、カチオン性界面活性剤と、アミノ変性又はアンモニウム変性高分子シリコーンとを含む毛髪用組成物が提案されており、保湿剤としてマルトース、マルトトリオースが開示されている。
また、特許文献５には、アニオン性界面活性剤と、カチオン性界面活性剤と、平均分子量が５万以上のオルガノシロキサン−ポリオキシアルキレンブロック共重合体とを含む毛髪用組成物が提案されており、乳化剤としてマルトース、マルトトリオースが開示されている。
また、特許文献６には、セロオリゴ糖と、油剤、界面活性剤、及び多価アルコールから得られる１種以上とを含有する洗浄料が提案されており、界面活性剤としてアニオン性界面活性剤とカチオン性界面活性剤とが例示されており、少糖類としてマルトース、マルトトリオース、マルトテトラオースが開示されている。
【０００３】
しかしながら、これら先行技術文献の洗浄剤組成物は、いずれも、毛髪洗浄分野では、洗髪時の泡立ち、すすぎ時の泡切れ、及び乾燥後の髪の広がりのなさ、皮膚洗浄分野では、洗浄時の泡立ち、すすぎ時の泡切れ、及び乾燥後の皮膚のかさつきのなさのすべてについて十分満足できる性能を有しておらず、毛髪洗浄分野では、洗髪時の泡立ち、すすぎ時の泡切れ、及び乾燥後の髪の広がりのなさのすべてを顕著に向上させることができ、皮膚洗浄分野では、洗浄時の泡立ち、すすぎ時の泡切れ、及び乾燥後の皮膚のかさつきのなさのすべてを顕著に向上させることができる洗浄剤組成物の速やかな提供が望まれているのが現状である。
【先行技術文献】
【特許文献】
【０００４】
【特許文献１】特開２００２−３２６９１４号公報
【特許文献２】特開２００３−１２４６６号公報
【特許文献３】特開平５−８５９１８号公報
【特許文献４】特開２００６−１１７６０６号公報
【特許文献５】国際公開第２００４／０５８１９８号パンフレット
【特許文献６】特開２００９−１８４９５９号公報
【発明の概要】
【発明が解決しようとする課題】
【０００５】
本発明は、前記従来における諸問題を解決し、以下の目的を達成することを課題とする。即ち、本発明は、毛髪洗浄分野では、洗髪時の泡立ち、すすぎ時の泡切れ、及び乾燥後の髪の広がりのなさのすべてを顕著に向上させることができ、皮膚洗浄分野では、洗浄時の泡立ち、すすぎ時の泡切れ、及び乾燥後の皮膚のかさつきのなさのすべてを顕著に向上させることができる洗浄剤組成物を提供することを目的とする。
【課題を解決するための手段】
【０００６】
前記課題を解決するため本発明者らが鋭意検討を重ねた結果、（Ａ）アニオン性界面活性剤５質量％〜３０質量％と、（Ｂ）カチオン性界面活性剤０．１質量％〜１０質量％と、（Ｃ）２５℃での動粘度が４００万ｍｍ２／ｓ以上のジメチルポリシロキサン０．０１質量％〜２質量％と、（Ｄ）マルトオリゴ糖とを含有する洗浄剤組成物が、前記（Ａ）成分から前記（Ｄ）成分が相乗的に働いて、毛髪洗浄分野では、洗髪時の泡立ち、すすぎ時の泡切れ、及び乾燥後の髪の広がりのなさのすべてを顕著に向上させることができ、皮膚洗浄分野では、洗浄時の泡立ち、すすぎ時の泡切れ、及び乾燥後の皮膚のかさつきのなさのすべてを顕著に向上させることができ、従来からの課題を効果的に解決できることを知見した。
特に、（Ａ）成分のアニオン性界面活性剤の含有量と、（Ｂ）成分のカチオン性界面活性剤の含有量との質量比〔（Ａ）／（Ｂ）〕が１〜１２０、好ましくは４〜３０である高濃度アニオン性界面活性剤含有条件下において、（Ｄ）成分のマルトオリゴ糖、好ましくはマルトテトラオースと、（Ｃ）成分の２５℃での動粘度が４００万ｍｍ２／ｓ以上のジメチルポリシロキサンとが相乗作用して、毛髪洗浄分野では、洗髪時の泡立ち、すすぎ時の泡切れ、及び乾燥後の髪の広がりのなさのすべてを顕著に向上させることができ、皮膚洗浄分野では、洗浄時の泡立ち、すすぎ時の泡切れ、及び乾燥後の皮膚のかさつきのなさのすべてを顕著に向上できることを知見した。
【０００７】
本発明は、本発明者らによる前記知見に基づくものであり、前記課題を解決するための手段としては、以下の通りである。即ち、
＜１＞  （Ａ）アニオン性界面活性剤５質量％〜３０質量％、
（Ｂ）カチオン性界面活性剤０．１質量％〜１０質量％、
（Ｃ）２５℃での動粘度が４００万ｍｍ２／ｓ以上のジメチルポリシロキサン０．０１質量％〜２質量％、及び
（Ｄ）マルトオリゴ糖、
を少なくとも含有することを特徴とする洗浄剤組成物である。
＜２＞  （Ａ）成分のアニオン性界面活性剤の含有量と、（Ｂ）成分のカチオン性界面活性剤の含有量との質量比〔（Ａ）／（Ｂ）〕が１〜１２０である前記＜１＞に記載の洗浄剤組成物である。
＜３＞  （Ｄ）成分のマルトオリゴ糖が、マルトテトラオース、マルトトリオース、及びマルトースから選択される少なくとも１種である前記＜１＞から＜２＞のいずれかに記載の洗浄剤組成物である。
＜４＞  （Ｄ）成分のマルトオリゴ糖がマルトテトラオースである前記＜３＞に記載の洗浄剤組成物である。
＜５＞  （Ｄ）成分のマルトオリゴ糖の含有量が、０．１質量％〜５質量％である前記＜１＞から＜４＞のいずれかに記載の洗浄剤組成物である。
＜６＞  （Ａ）成分のアニオン性界面活性剤の含有量と、（Ｂ）成分のカチオン性界面活性剤の含有量との質量比〔（Ａ）／（Ｂ）〕が４〜３０である前記＜１＞から＜５＞のいずれかに記載の洗浄剤組成物である。
＜７＞  （Ａ）成分のアニオン性界面活性剤が、ポリオキシエチレンアルキルエーテル硫酸塩である前記＜１＞から＜６＞のいずれかに記載の洗浄剤組成物である。
＜８＞  （Ｂ）成分のカチオン性界面活性剤が、塩化ステアリルトリメチルアンモニウム、及び塩化ベヘニルトリメチルアンモニウムの少なくともいずれかである前記＜１＞から＜７＞のいずれかに記載の洗浄剤組成物である。
【発明の効果】
【０００８】
本発明によると、従来における諸問題を解決することができ、毛髪洗浄分野では、洗髪時の泡立ち、すすぎ時の泡切れ、及び乾燥後の髪の広がりのなさのすべてを顕著に向上させることができ、皮膚洗浄分野では、洗浄時の泡立ち、すすぎ時の泡切れ、及び乾燥後の皮膚のかさつきのなさのすべてを顕著に向上させることができる洗浄剤組成物を提供することができる。
【発明を実施するための形態】
【０００９】
本発明の洗浄剤組成物は、（Ａ)アニオン性界面活性剤、（Ｂ）カチオン性界面活性剤、（Ｃ）２５℃での動粘度が４００万ｍｍ２／ｓ以上のジメチルポリシロキサン、及び（Ｄ）マルトオリゴ糖を含有し、更に必要に応じてその他の成分を含有してなる。
【００１０】
＜（Ａ）アニオン性界面活性剤＞
前記アニオン性界面活性剤としては、特に制限はなく、目的に応じて適宜選択することができ、例えば、ポリオキシエチレンアルキルエーテル硫酸塩、脂肪酸石鹸、アルキルエーテルカルボン酸塩、アシルアラニネート、アシルタウレート、Ｎ−アルキルイミノジカルボン酸塩に代表されるアミノ酸系アニオン性界面活性剤又その塩、アルキルベンゼンスルホン酸塩、アルキルナフタレンスルホン酸塩、α−スルホ脂肪酸塩、アルキルスルホン酸塩、アルキルスルホコハク酸塩、α−オレフィンスルホン酸塩などが挙げられる。これらは、１種単独で使用してもよいし、２種以上を併用してもよい。これらの中でも、ポリオキシエチレンアルキルエーテル硫酸塩が、洗髪時の泡立ち、及び洗浄時の泡立ち点から特に好ましい。
前記ポリオキシエチレンアルキルエーテル硫酸塩におけるエチレンオキシドの平均付加モル数は、１〜３が好ましく、洗髪時の泡立ち、及び洗浄時の泡立ちの点から２又は３がより好ましい。前記ポリオキシエチレンアルキルエーテル硫酸塩におけるアルキル鎖長は１２〜１４が好ましく、洗髪時の泡立ち、及び洗浄時の泡立ちの点から１２がより好ましい。前記ポリオキシエチレンアルキルエーテル硫酸塩における対イオンとしてはアルカリ金属が好ましく、ナトリウムが特に好ましい。
前記（Ａ）成分のアニオン性界面活性剤の含有量は、前記洗浄剤組成物全体に対し５質量％〜３０質量％であり、すすぎ時の泡切れ、乾燥後の髪の広がりのなさ、及び乾燥後の皮膚のかさつきのなさの点から１０質量％〜２０質量％が好ましい。前記含有量が、５質量％未満であると、洗髪時の泡立ち、洗浄時の泡立ち、乾燥後の髪の広がりのなさ、及び乾燥後の皮膚のかさつきのなさが低下することがあり、３０質量％を超えると、すすぎ時の泡切れ、乾燥後の髪の広がりのなさ、及び乾燥後の皮膚のかさつきのなさが低下してしまうことがある。
【００１１】
＜（Ｂ）カチオン性界面活性剤＞
前記（Ｂ）成分のカチオン性界面活性剤としては、特に制限はなく、目的に応じて適宜選択することができ、例えば脂肪族アミン又はその４級アンモニウム塩、脂肪酸アミドアミン塩、アルキルトリアルキレングリコールアンモニウム塩、アシルグアニジン誘導体、モノ−Ｎ−長鎖アシル塩基性アミノ酸低級アルキルエステル塩等のアミノ酸系カチオン性界面活性剤、アルキルベンザルコニウム塩、アルキルピリジニウム塩、イミダゾリニウム塩などが挙げられる。これらは、１種単独で使用してもよいし、２種以上を併用してもよい。これらの中でも、ステアリン酸ジメチルアミノプロピルアミド、脂肪族アミンの４級アンモニウム塩が好ましく、炭素数１８〜２２の脂肪族アミンの４級アンモニウム塩がより好ましく、洗髪時の泡立ち、洗浄時の泡立ち、すすぎ時の泡切れ、乾燥後の髪の広がりのなさ、及び乾燥後の皮膚のかさつきのなさの点から塩化ステアリルトリメチルアンモニウム、塩化ベヘニルトリメチルアンモニウムが更に好ましく、塩化ステアリルトリメチルアンモニウムが特に好ましい。
前記（Ｂ）成分のカチオン性界面活性剤の含有量は、前記洗浄剤組成物全体に対し０．１質量％〜１０質量％であり、洗髪時の泡立ち、洗浄時の泡立ち、すすぎ時の泡切れ、乾燥後の髪の広がりのなさ、及び乾燥後の皮膚のかさつきのなさの点から０．５質量％〜３質量％が好ましい。前記含有量が、０．１質量％未満であると、すすぎ時の泡切れ、乾燥後の髪の広がりのなさ、及び乾燥後の皮膚のかさつきのなさが低下してしまうことがあり、１０質量％を超えると、乾燥後の髪の広がりのなさ、及び乾燥後の皮膚のかさつきのなさが低下してしまうことがある。
【００１２】
前記（Ａ）成分のアニオン性界面活性剤の含有量と、前記（Ｂ）成分のカチオン性界面活性剤の含有量との質量比〔（Ａ）／（Ｂ）〕は、１〜１２０が好ましく、洗髪時の泡立ち、洗浄時の泡立ち、及びすすぎ時の泡切れの点から４〜３０がより好ましい。
前記質量比〔（Ａ）／（Ｂ）〕が、１未満であると、洗髪時の泡立ち及び洗浄時の泡立ちが弱くなることがあり、１２０を超えると、すすぎ時の泡切れが悪くなることがある。
【００１３】
＜（Ｃ）２５℃の動粘度が４００万ｍｍ２／ｓ以上のジメチルポリシロキサン＞
前記２５℃の動粘度が４００万ｍｍ２／ｓ以上のジメチルポリシロキサンとしては、トリメチルシリル基末端ジメチルポリシロキサン、シラノール基末端ジメチルポリシロキサンなどが挙げられる。これらは、１種単独で使用してもよいし、２種以上を併用してもよい。
前記ジメチルポリシロキサンは、オイルでもエマルジョンでもよく、エマルジョン化における乳化剤や乳化方法に特に制限はない。なお、他のシリコーン化合物、例えば低粘度のジメチルポリシロキサン、環状シリコーン、ＥＯ変性シリコーン、アミノ変性シリコーン等は、本発明の効果を損なわない範囲で適宜、適量を併用することができる。
前記（Ｃ）成分のジメチルポリシロキサンとしては、２５℃の動粘度が４００万ｍｍ２／ｓ以上のものが、すすぎ時の泡切れの点で好ましく、２５℃の動粘度が１，０００万ｍｍ２／ｓ以上のものが、洗髪時の泡立ち、及び洗浄時の泡立ちの点からより好ましい。前記２５℃の動粘度の上限は、特に制限はなく、目的に応じて適宜選択することができるが、３,０００万ｍｍ２／ｓであることが好ましい。
前記動粘度の測定方法は、１ｇ／１００ｍＬ濃度のジメチルポリシロキサンのトルエン溶液を作製し、下記式（１）により比粘度ηｓｐ（２５℃）を求める。次に、下記式（２）に示すＨｕｇｇｉｎｓの関係式に代入し、固有粘度〔η〕を求める。Ｈｕｇｇｉｎｓ定数は、中牟田、日化、７７  ５８８［１９５６］に記載のものを用いる。次に〔η〕を下記式（３）に示すＡ．Ｋｏｌｏｒｌｏｖの式に代入し、分子量Ｍを求める。最後に、Ｍを下記式（４）に示すＡ．Ｊ．Ｂａｒｒｙの式に代入し、ジメチルポリシロキサンの粘度ηを求める。
ηｓｐ＝（η／η０）−１  ・・・  式（１）
ただし、η０は、トルエンの粘度、ηは、溶液の粘度を表し、これらη０、ηは、化粧品原料基準一般試験法粘度測定法第１法に準拠して測定したものである。
ηｓｐ＝〔η〕＋Ｋ’〔η〕２  ・・・  式（２）
ただし、Ｋ’は、Ｈｕｇｇｉｎｓの定数を表す。
〔η〕＝０．２１５×１０-４Ｍ０．６５  ・・・  式（３）
ただし、Ｍは、分子量を表す。
ｌｏｇη＝１．００＋０．０１２３Ｍ０．５  ・・・  式（４）
【００１４】
前記（Ｃ）成分の２５℃の動粘度が４００万ｍｍ２／ｓ以上のジメチルポリシロキサンの含有量は、前記洗浄剤組成物全体に対し０．０１質量％〜２質量％であり、すすぎ時の泡切れ、乾燥後の髪の広がりのなさ、及び乾燥後の皮膚のかさつきのなさの点から、０．０５質量％〜１．５質量％が好ましい。前記含有量が、０．０１質量％未満であると、すすぎ時の泡切れが悪くなる場合があり、乾燥後の髪の広がりのなさ、及び乾燥後の皮膚のかさつきのなさが低下してしまうことがあり、２質量％を超えると、洗髪時の泡立ち、及び洗浄時の泡立ちが低下するおそれがある。
【００１５】
＜（Ｄ）マルトオリゴ糖＞
前記（Ｄ）成分のマルトオリゴ糖とは、２糖、３糖〜９糖のオリゴ糖を意味し、これらの誘導体も含まれる。
前記（Ｄ）成分のマルトオリゴ糖としては、特に制限はなく、目的に応じて適宜選択することができ、例えばマルトース、マルトトリオース、マルトテトラオース、マルトペンタオース、マルトヘキサオース、マルトヘプタオース、マルトオクタオース、マルトノナオース、スレイトールなどが挙げられる。これらは、１種単独で使用してもよいし、２種以上を併用してもよい。これらの中でも、マルトテトラオース、マルトトリオース、マルトースが好ましく、乾燥後の髪の広がりのなさ、及び乾燥後の皮膚のかさつきのなさの点からマルトテトラオースが特に好ましい。
前記（Ｄ）成分のマルトオリゴ糖としては、適宜合成したものを使用してもよいし、市販品を使用してもよい。該市販品としては、特に制限はなく、目的に応じて適宜選択することができ、例えばマルトテトラオース（商品名：テトラップ−Ｈ、マルトテトラオース７４％以上含有品、株式会社林原商事製）、マルトペンタオース（商品名：ペントラップ、マルトペンタオース７４％以上含有品、株式会社林原商事製）、マルトース（サンマルト、マルトース８９±２％含有品、株式会社林原商事製）、マルトトリオース（マルトトリオース、キシダ化学株式会社製）などが挙げられる。
前記（Ｄ）成分のマルトオリゴ糖の含有量は、前記洗浄剤組成物全体に対し０．１質量％〜５質量％が好ましく、洗髪時の泡立ち、洗浄時の泡立ち、乾燥後の髪の広がりのなさ、及び乾燥後の皮膚のかさつきのなさの点から、０．５質量％〜３質量％がより好ましい。前記含有量が、０．１質量％未満であると、洗髪時の泡立ち、洗浄時の泡立ち、乾燥後の髪の広がりのなさ、及び乾燥後の皮膚のかさつきのなさが低下してしまうことがあり、５質量％を超えると、洗髪時の泡立ち、洗浄時の泡立ち、及びすすぎ時の泡切れが弱くなることがある。
【００１６】
＜その他の成分＞
前記その他の成分としては、特に制限はなく、目的に応じて適宜選択することができ、例えばノニオン界面活性剤、半極性界面活性剤、両性界面活性剤、アニオン性ポリマー、ノニオン性ポリマー、カチオン性ポリマー、両性ポリマー、（Ｄ）成分以外のポリオール類、（Ｄ）成分以外の保湿剤、ＢＨＴやα−トコフェロール等の酸化防止剤、トリクロサン、トリクロロカルバン等の殺菌剤、脂肪酸モノエタノールアミド、脂肪酸ジエタノールアミド等の粘度調整剤、紫外線吸収剤、タンパク誘導体、動植物抽出液、ピロクトンオラミン、ジンクピリチオン等のフケ防止剤、グリチルリチン酸ジカリウム等の抗炎症剤、安息香酸又はその塩、パラベン類等の防腐剤、クエン酸、トリエタノールアミン等のｐＨ調整剤、エチレングリコールジ脂肪酸エステル等のパール化剤、乳濁剤、ハイドロトロープ、ビタミン類、揮発性油分、疎水性溶媒、希釈性溶媒、色素、香料組成物などを任意に添加することができる。
前記香料組成物としては、特に制限はなく、目的に応じて適宜選択することができ、例えば、特開２００６−６３０４４号公報の〔表５〕〜〔表１０〕に記載された香料Ａ、香料Ｂ、香料Ｃ、香料Ｄなどが挙げられる。前記香料組成物の含有量は、前記洗浄剤組成物全体に対し０．００５質量％〜４０質量％が好ましく、０．０１質量％〜１０質量％がより好ましい。
【００１７】
＜製造方法＞
本発明の洗浄剤組成物の製造方法としては、特に制限はなく、目的に応じて適宜選択することができ、例えば前記（Ａ）成分〜（Ｄ）成分、更に必要に応じて前記その他の成分を添加し、均一に混合することにより、洗浄剤組成物を調製することができる。
【００１８】
前記洗浄剤組成物のｐＨは、３〜７が好ましく、４〜６がより好ましい。前記ｐＨが、３未満であると、地肌への刺激が懸念され、７を超えると、防腐力が低下して微生物が繁殖する可能性がある。
前記ｐＨは、例えば化粧品原料基準一般試験法ｐＨ測定法に準拠して測定することができる。
前記洗浄剤組成物の２５℃での粘度は、１，０００ｍＰａ・ｓ〜６，０００ｍＰａ・ｓが好ましい。前記粘度が、１，０００ｍＰａ・ｓ未満であると、使用時に手からこぼれるため使用しにくく、６，０００ｍＰａ・ｓを超えると、容器からの排出性が悪くなることがある。
前記２５℃での粘度は、例えば、化粧品原料基準一般試験法粘度測定法第２法に準拠して測定することができる。
【００１９】
＜容器及び容器材質＞
本発明の洗浄剤組成物を収納する容器としては、特に制限はなく、目的に応じて適宜選択することができ、例えばアルミニウムラミネートチューブ、ＥＶＡＬチューブ、アルミニウムチューブ、ガラス蒸着プラスチックチューブ等のチューブの他、機械的又は差圧によるディスペンサー容器、スクイーズ容器、ラミネートフィルム容器、スポイト容器、スティック容器、ボトル容器などが挙げられる。
前記アルミニウムラミネートチューブのラミネートフィルムは、通常２層以上の多層を有し、その材質としては、例えばポリエチレン、ポリエチレンテレフタレート、ポリエステル、二軸延伸ポリプロピレン、無延伸ポリプロピレン、ポリアクリロニトリル、エチレン酢酸ビニル共重合体等の合成樹脂、紙、アルミニウム蒸着プラスチックなどが挙げられる。前記ラミネートフィルムは、強度、柔軟性、耐候性等を考慮し、一般的には２層〜５層のものを用いる。
前記ボトルの材質としては、例えばポリエチレン、ポリプロピレン、ポリエチレンテレフタレート、ポリスチレン、ポリ塩化ビニル、エチレン−ビニルアルコール樹脂、アクリロニトリル−スチレン樹脂、ＡＢＳ樹脂、ポリアミド等の樹脂、ガラスなどを単層乃至２層以上組み合わせて用いることができる。
【００２０】
＜用途＞
本発明の洗浄剤組成物は、毛髪洗浄分野では、洗髪時の泡立ち、すすぎ時の泡切れ、及び乾燥後の髪の広がりのなさのすべてを顕著に向上させることができ、皮膚洗浄分野では、洗浄時の泡立ち、すすぎ時の泡切れ、及び乾燥後の皮膚のかさつきのなさのすべてを顕著に向上させることができるので、例えば、シャンプー、リンスインシャンプー、トリートメントインシャンプー、ハンドソープ、ボディソープ、洗顔料等の毛髪及び皮膚の洗浄に好適に利用可能である。
【実施例】
【００２１】
以下、本発明の実施例を説明するが、本発明は、これらの実施例に何ら限定されるものではない。なお、実施例に記載の成分量は全て純分換算である。
【００２２】
（実施例１〜２６及び比較例１〜１０）
−洗浄剤組成物（リンスインシャンプー）の調製−
下記表１に示す組成（単位：質量％）について、常法により、実施例１〜２６及び比較例１〜１０の洗浄剤組成物を調製した。最後に、クエン酸を適量添加し、ｐＨを５．２に調整した。ｐＨは、ｐＨメーター（東亜ディーケーケー株式会社製、ＨＭ−３０Ｖ）を用い、２５℃にしたサンプルを、２分間安定化させて測定した。
【００２３】
次に、得られた各洗浄剤組成物について、以下のようにして、「洗髪時の泡立ち」、「すすぎ時の泡切れ」、及び「乾燥後の髪の広がりのなさ」の評価を行った。結果を表１に併記する。
【００２４】
＜洗髪時の泡立ち、すすぎ時の泡切れ、及び乾燥後の髪の広がりのなさ＞
「洗髪時の泡立ち」、「すすぎ時の泡切れ」、及び「乾燥後の髪の広がりのなさ」に不満を感じている２０〜６０代の男女４０名を対象として、各洗浄剤組成物（リンスインシャンプー）を７日間連続して使用してもらい、各評価項目に関して下記の評価基準に則り評価を行った。
〔評価基準〕
◎：良好と答えた者が３０名以上
○：良好と答えた者が２０名〜２９名
△：良好と答えた者が１０名〜１９名
×：良好と答えた者が１０名未満
【００２５】
【表１−１】
0005632264.tif 000002
＊：ジメチルシリコーンエマルジョン（動粘度１，０００万ｍｍ２／ｓ）における２５℃の動粘度が１，０００万ｍｍ２／ｓのジメチルシリコーンの含有量は９質量％であり、表中の数値は、純分換算して、四捨五入した値を示す。
【表１−２】
0005632264.tif 000003
＊：ジメチルシリコーンエマルジョン（動粘度１，０００万ｍｍ２／ｓ）における２５℃の動粘度が１，０００万ｍｍ２／ｓのジメチルシリコーンの含有量は９質量％であり、表中の数値は、純分換算して、四捨五入した値を示す。
【表１−３】
0005632264.tif 000004
＊：ジメチルシリコーンエマルジョン（動粘度１，０００万ｍｍ２／ｓ）における２５℃の動粘度が１，０００万ｍｍ２／ｓのジメチルシリコーンの含有量は９質量％であり、表中の数値は、純分換算して、四捨五入した値を示す。
【表１−４】
0005632264.tif 000005
＊：ジメチルシリコーンエマルジョン（動粘度１，０００万ｍｍ２／ｓ）における２５℃の動粘度が１，０００万ｍｍ２／ｓのジメチルシリコーンの含有量は９質量％であり、表中の数値は、純分換算して、四捨五入した値を示す。
【表１−５】
0005632264.tif 000006
＊：ジメチルシリコーンエマルジョン（動粘度１，０００万ｍｍ２／ｓ）における２５℃の動粘度が１，０００万ｍｍ２／ｓのジメチルシリコーンの含有量は９質量％であり、表中の数値は、純分換算して、四捨五入した値を示す。
【表１−６】
0005632264.tif 000007
＊：ジメチルシリコーンエマルジョン（動粘度１，０００万ｍｍ２／ｓ）における２５℃の動粘度が１，０００万ｍｍ２／ｓのジメチルシリコーンの含有量は９質量％であり、表中の数値は、純分換算して、四捨五入した値を示す。
【表１−７】
0005632264.tif 000008
＊：ジメチルシリコーンエマルジョン（動粘度１，０００万ｍｍ２／ｓ）における２５℃の動粘度が１，０００万ｍｍ２／ｓのジメチルシリコーンの含有量は９質量％であり、表中の数値は、純分換算して、四捨五入した値を示す。
【００２６】
（実施例２７〜３２及び比較例１１〜１７）
−洗浄剤組成物（ボディソープ）の調製−
下記表２に示す組成（単位：質量％）について、常法により、実施例２７〜３２及び比較例１１〜１７の洗浄剤組成物を調製した。最後に、クエン酸を適量添加し、ｐＨを５．２に調整した。ｐＨは、ｐＨメーター（東亜ディーケーケー株式会社製、ＨＭ−３０Ｖ）を用い、２５℃にしたサンプルを、２分間安定化させて測定した。
【００２７】
次に、得られた各洗浄剤組成物について、以下のようにして、「洗浄時の泡立ち」、「すすぎ時の泡切れ」、及び「乾燥後の皮膚のかさつきのなさ」の評価を行った。結果を表２に併記する。
＜洗浄時の泡立ち、すすぎ時の泡切れ、及び乾燥後の皮膚のかさつきのなさ＞
「洗浄時の泡立ち」、「すすぎ時の泡切れ」、及び「乾燥後の皮膚のかさつきのなさ」に不満を感じている２０代〜６０代の男女４０名を被験者とし、各洗浄剤組成物（ボディソープ）を７日間連続使用し、各評価項目に関して下記の評価基準に則り評価を行った。
〔評価基準〕
◎：良好と回答した者が３０名〜４０名
○：良好と回答した者が２０名〜２９名
△：良好と回答した者が１０名〜１９名
×：良好と回答した者が０名〜９名
【００２８】
【表２−１】
0005632264.tif 000009
＊：ジメチルシリコーンエマルジョン（動粘度１，０００万ｍｍ２／ｓ）における２５℃の動粘度が１，０００万ｍｍ２／ｓのジメチルシリコーンの含有量は９質量％であり、表中の数値は、純分換算して、四捨五入した値を示す。
【表２−２】
0005632264.tif 000010
＊：ジメチルシリコーンエマルジョン（動粘度１，０００万ｍｍ２／ｓ）における２５℃の動粘度が１，０００万ｍｍ２／ｓのジメチルシリコーンの含有量は９質量％であり、表中の数値は、純分換算して、四捨五入した値を示す。
【表２−３】
0005632264.tif 000011
＊：ジメチルシリコーンエマルジョン（動粘度１，０００万ｍｍ２／ｓ）における２５℃の動粘度が１，０００万ｍｍ２／ｓのジメチルシリコーンの含有量は９質量％であり、表中の数値は、純分換算して、四捨五入した値を示す。
【００２９】
（実施例３３）
−ボディソープの作製−
下記に示す組成について、常法により、洗浄剤組成物としてのボディシャンプーを作製した。
得られたボディソープについて、実施例２７〜３２及び比較例１１〜１７と同様にして、官能評価を行った。
【００３０】
［組成］
・ＰＯＥ（２）アルキル（Ｃ１２〜１４）エーテル硫酸ナトリウム      ９．０質量％
・Ｎ−ラウロイル−Ｎ−メチル−β−アラニンナトリウム              １．０質量％
・塩化ステアリルトリメチルアンモニウム                            ０．８質量％
・ジメチルシリコーンエマルジョン（動粘度１，０００万ｍｍ２／ｓ）  １．０質量％
・マルトテトラオース                                              １．５質量％
・塩化ジメチルジアリルアンモニウム・アクリルアミド共重合体        ０．３質量％
・ラウリン酸アミドプロピルベタイン（固形分３０質量％）            ４．０質量％
・グリセリン                                                    １０．０質量％
・ポリエチレングリコール６０００                                  ０．２質量％
・グリチルリチン酸ジカリウム                                      ０．１質量％
・安息香酸ナトリウム                                              ０．１質量％
・クエン酸                                                        ０．９質量％
・香料                                                            ０．５質量％
・精製水                                                              残部    
合計                                                            １００質量％
・質量比〔（Ａ）／（Ｂ）〕＝１２．５
［評価結果］
・洗浄時の泡立ち              ：◎
・すすぎ時の泡切れ            ：◎
・乾燥後の皮膚のかさつきのなさ：◎
【００３１】
（実施例３４）
−ハンドソープの作製−
下記に示す組成について、常法により、洗浄剤組成物としてのハンドソープを作製した。
得られたハンドソープについて、実施例２７〜３２及び比較例１１〜１７と同様にして、官能評価を行った。
【００３２】
［組成］
・ＰＯＥ（２）アルキル（Ｃ１２〜１４）エーテル硫酸ナトリウム      １．０質量％
・トリＰＯＥ（１０）アルキル（Ｃ１２〜１５）エ−テルリン酸        １．０質量％
（ＨＬＢ１４．０）
・ラウリン酸カリウム                                              ８．０質量％
・ミリスチン酸カリウム                                            ２．０質量％
・塩化ステアリルトリメチルアンモニウム                            １．０質量％
・ジメチルシリコーンエマルジョン（動粘度１，０００万ｍｍ２／ｓ）  ０．５質量％
・マルトテトラオース                                              １．０質量％
・マルトース                                                      ０．５質量％
・塩化ジメチルジアリルアンモニウム・アクリルアミド共重合体        ０．３質量％
・プロピレングリコール                                          １０．０質量％
・水酸化カリウム(ｐＨ１０．６に調整)                                  適量
・モノエタノールアミン                                            ０．５質量％
・ラウリルジメチルアミノ酢酸ベタイン                              １．０質量％
・ＰＯＥ（１１）ステアリルエーテル                                １．０質量％
・スチレン共重合体エマルジョン                                    ０．２質量％
・イソプロピルメチルフェノール                                    ０．１質量％
・香料                                                            ０．５質量％
・精製水                                                              残部    
合計                                                            １００質量％
・質量比〔（Ａ）／（Ｂ）〕＝１２
［評価結果］
・洗浄時の泡立ち              ：◎
・すすぎ時の泡切れ            ：◎
・乾燥後の皮膚のかさつきのなさ：◎
【００３３】
なお、実施例１〜３４及び比較例１〜１７で用いた各成分の具体的な内容は、以下に示すとおりである。
【表３】
0005632264.tif 000012
【産業上の利用可能性】
【００３４】
本発明の洗浄剤組成物は、毛髪洗浄分野では、洗髪時の泡立ち、すすぎ時の泡切れ、及び乾燥後の髪の広がりのなさのすべてを顕著に向上させることができ、皮膚洗浄分野では、洗浄時の泡立ち、すすぎ時の泡切れ、及び乾燥後の皮膚のかさつきのなさのすべてを顕著に向上させることができるので、例えば、シャンプー、リンスインシャンプー、トリートメントインシャンプー、ハンドソープ、ボディソープ、洗顔料等の毛髪及び皮膚の洗浄に好適に利用可能である。